(57)【要約】【課題】人通りの少ない場所や民家から遠く離れた場所で犯罪に遭遇しても、防犯エリア内にある防犯灯や防犯ブザー等を順次作動させることによってそのエリア全体に緊急事態の発生を通報することができる、機能性に勝れてコストも安い防犯通報システムを提供する。【解決手段】防犯エリア内に設置された複数の防犯灯ポール１にそれぞれ、赤色灯２、黄色灯３、防犯ブザー４、非常用押しボタン５、制御装置６を取り付け、該制御装置６が、携帯端末器７からの緊急信号を受信するか又は非常押しボタン５からの操作信号を受け取ったときは、自身の防犯灯ポール１上の赤色灯２を点灯させると共に防犯ブザー４を鳴動させ、かつ隣の防犯灯ポール１の制御装置６に伝達信号を送信すべく動作し、また、隣の防犯灯ポール１の制御装置６からの伝達信号を受信したときは、自身の防犯灯ポール１上の黄色灯３を点灯させると共に防犯ブザー４を鳴動させ、かつ他の隣り合う防犯灯ポール１の制御装置６に伝達信号を送信すべく動作するように構成する。【選択図】図１
2008123218.tif 000002
【特許請求の範囲】
【請求項１】
防犯エリア内に設置された複数の防犯灯ポールにそれぞれ、防犯通報機器として、赤色灯、黄色灯、防犯ブザー、非常用押しボタンを取り付けると共に、上記赤色灯、黄色灯、防犯ブザーの動作制御と信号の送受信とを行うための制御装置を取り付けて、これらの防犯通報機器と緊急信号を発信させるための携帯端末器とによって構成する防犯通報システムであって、
上記制御装置が、上記携帯端末器からの緊急信号の受信と、近接する防犯灯ポール間での伝達信号の送受信とを行うように構成されていて、上記携帯端末器からの緊急信号を受信するか又は当該制御装置が取り付けられている防犯灯ポールの非常押しボタンからの操作信号を受け取ったときは、その防犯灯ポール上の赤色灯及び黄色灯のうち少なくとも赤色灯を点灯させると共に防犯ブザーを鳴動させ、かつ近接する他の防犯灯ポールの制御装置に伝達信号を送るように動作し、また、他の防犯灯ポールの制御装置からの伝達信号を受信したときは、自身が取り付けられている防犯灯ポール上の黄色灯を点灯させると共に防犯ブザーを鳴動させ、かつ近接する他の防犯灯ポールの制御装置に伝達信号を送るように動作することを特徴とする防犯通報システム。
【請求項２】
上記携帯端末器が、操作状態を保持する自己保持タイプであると共に、自己保持を解除するための解除手段を有することを特徴とする請求項１に記載の防犯通報システム。
【請求項３】
上記制御装置が、上記非常押しボタンからの操作信号が入力されたとき、タイマーにより設定された時間が経過するまで上記赤色灯及び黄色灯と防犯ブザーとを動作させるように構成されていることを特徴とする請求項１又は２に記載の防犯通報システム。
【請求項４】
上記携帯端末器が、発信装置を内蔵するケーシングと、該発信装置を起動させるための押圧式の操作子とを有し、上記ケーシングには指当て用の凹部が形成され、この凹部内に一部を突出させた状態で上記操作子が上記ケーシングに取り付けられていることを特徴とする請求項１から３の何れかに記載の防犯通報システム。
【発明の詳細な説明】
【技術分野】
【０００１】
本発明は、街頭犯罪を防止するための防犯通報システムに関するものである。
【背景技術】
【０００２】
近年、ひったくりや痴漢などの他、ストーカーや通り魔などによって人身が殺傷されるといった凶悪な街頭犯罪が多発し、防犯のための対策が急がれている。
その対策の一つとして、これまで、各種の防犯システムが提案されている。例えば特許文献１には、街路に沿って設けられた複数の防犯灯ポールに、緊急呼び出しスイッチや監視カメラ等を含む緊急警報機器と、マイク、スピーカ、カメラ、モニタ等からなるテレビインターホンとを取り付けると共に、これらの防犯灯ポールと監視制御サーバと携帯端末器とをネットワークに接続して構成した緊急通報システムが開示されている。
この緊急通報システムは、上記携帯端末器から、何れかの防犯灯ポールを介して、予めユーザ登録している識別コードを伴う警報作動要求が発信されると、監視制御サーバがそれを検知し、対応する防犯灯ポールの緊急警報機器を作動させるものである。
【特許文献１】特開２００２−２８８７６４号公報
【発明の開示】
【発明が解決しようとする課題】
【０００３】
しかし、上記従来の緊急通報システムは、携帯端末器から信号が発せられると、その信号を受け取った防犯灯ポールだけについて緊急警報機器が作動する方式であるため、その防犯灯ポールが人通りの少ない場所や民家から遠く離れた場所にあるような場合には、緊急事態が周囲に十分に伝わらず、助けを得られない場合が多い。
また、監視カメラを含む緊急警報機器や、マイク、スピーカ、カメラ、モニタ等からなるテレビインターホンなどを使用するため、装置の構成が複雑でコストも高いという問題がある。
【０００４】
そこで本発明の目的は、犯罪に遭遇した場所が人通りの少ない場所や民家から遠く離れた場所であっても、防犯エリア内にある防犯灯や防犯ブザー等を順次作動させることによってそのエリア全体に緊急事態の発生を通報することができる、機能性に勝れてコストも安い防犯通報システムを提供することにある。
【課題を解決するための手段】
【０００５】
上記目的を達成するため、本発明によれば、防犯エリア内に設置された複数の防犯灯ポールにそれぞれ、防犯通報機器として、赤色灯、黄色灯、防犯ブザー、非常用押しボタンを取り付けると共に、上記赤色灯、黄色灯、防犯ブザーの動作制御と信号の送受信とを行うための制御装置を取り付けて、これらの防犯通報機器と緊急信号を発信させるための携帯端末器とによって構成する防犯通報システムであって、上記制御装置が、上記携帯端末器からの緊急信号の受信と、近接する防犯灯ポール間での伝達信号の送受信とを行うように構成されていて、上記携帯端末器からの緊急信号を受信するか又は当該制御装置が取り付けられている防犯灯ポールの非常押しボタンからの操作信号を受け取ったときは、その防犯灯ポール上の赤色灯及び黄色灯のうち少なくとも赤色灯を点灯させると共に防犯ブザーを鳴動させ、かつ近接する他の防犯灯ポールの制御装置に伝達信号を送るように動作し、また、他の防犯灯ポールの制御装置からの伝達信号を受信したときは、自身が取り付けられている防犯灯ポール上の黄色灯を点灯させると共に防犯ブザーを鳴動させ、かつ近接する他の防犯灯ポールの制御装置に伝達信号を送るように動作することを特徴とする防犯通報システムが提供される。
【０００６】
本発明において好ましくは、上記携帯端末器が、操作状態を保持する自己保持タイプであると共に、自己保持を解除するための解除手段を有することであり、また、上記制御装置が、上記非常押しボタンからの操作信号が入力されたとき、タイマーにより設定された時間が経過するまで上記赤色灯及び黄色灯と防犯ブザーとを動作させるように構成されていることである。
【０００７】
また、本発明においては、上記携帯端末器が、発信装置を内蔵するケーシングと、該発信装置を起動させるための押圧式の操作子とを有し、上記ケーシングには指当て用の凹部が形成され、この凹部内に一部を突出させた状態で上記操作子が上記ケーシングに取り付けられていることが望ましい。
【発明の効果】
【０００８】
本発明によれば、何れかの防犯灯ポールの制御装置が、携帯端末器からの緊急信号を受信するか又は非常押しボタンからの操作信号を受け取ると、その防犯灯ポール上の赤色灯及び黄色灯のうち少なくとも赤色灯が点灯すると共に防犯ブザーが鳴り、さらに、近接する他の防犯灯ポールの制御装置に順次伝達信号が送られることにより、各防犯灯ポールの黄色灯が順次点灯すると共に、防犯ブザーも鳴る。
従って、犯罪に遭遇した場所が人通りの少ない場所や民家から遠く離れた場所などであっても、その防犯エリア内にある防犯灯ポールの防犯灯と防犯ブザーとが順次作動することにより、そのエリア全体に緊急事態の発生を通報することができる。しかも、犯罪に遭遇した場所にある防犯灯ポールにおいては赤色灯が点灯するため、遠くからでもその場所を簡単に特定することができる。さらに、監視カメラやテレビインターホンなどを必要とする従来のものに比べると、それらを使用しないためコストも安い。
【発明を実施するための最良の形態】
【０００９】
図１には本発明に係る防犯通報システムの一部が示されている。この防犯通報システムは、街路に沿って所定の間隔（例えば１００〜２００ｍ間隔）で列状に設置された防犯灯ポール１を利用するもので、設定された防犯エリア内にある複数の防犯灯ポール１に、それぞれ、防犯通報機器として赤色灯２、黄色灯３、防犯ブザー４、非常用押しボタン５を取り付けると共に、上記赤色灯２、黄色灯３及び防犯ブザー４の動作制御と信号の送受信とを行うための制御装置６を取り付け、これら複数の防犯灯ポール１に取り付けられた上記防犯通報機器と、歩行者が携帯する緊急信号発信用の携帯端末器７とによって、上記防犯通報システムが構成されている。
【００１０】
上記防犯エリアＥは、図５及び図６に示すように、駅と住宅地との間にあって夜間などに人通りの少ない時間帯が生じる場所や、民家から遠く離れた場所、あるいは過去に街頭犯罪が発生した場所などを対象とし、その場所と民家あるいは人通りのある場所とを結べる範囲（例えば道路に沿って１ｋｍ程度の範囲）に設定されるもので、その防犯エリアＥ内に位置する複数の防犯灯ポール１に上記各防犯通報機器がそれぞれ取り付けられる。
【００１１】
上記防犯灯ポール１は、図２からも分かるように、地面から鉛直に立ち上がった支柱部１ａの上端に歩道側あるいは車道側に向けて湾曲する湾曲部１ｂを形成し、この湾曲部１ｂの先端に照明灯１ｃを取り付けたもので、直立する支柱部１ａに上記各防犯通報機器が取り付けられている。
【００１２】
上記防犯通報機器のうち、防犯灯である上記赤色灯２と黄色灯３とは、点灯時に回転する回転式のもので、円筒形をした一つのハウジング１０の内部に、赤色灯２を上、黄色灯３を下にして同心状に収容されている。上記ハウジング１０は、少なくとも一部に、外部に開放するか又は透明に形成された放光部１０ａを有し、この放光部１０ａを通じて上記赤色灯２及び黄色灯３からの光を周囲に放射させるように構成されている。
【００１３】
また、上記防犯ブザー４は、その上端に上記防犯灯のハウジング１０が結合され、その下端は、上記制御装置６が内蔵された四角い箱形の制御盤１１の上面に固定されている。即ち、これらの制御盤１１と防犯ブザー４と赤色灯２及び黄色灯３とは、上下一体に結合され、取付板を介して上記防犯灯ポール１に取り付けられている。
しかし、上記防犯ブザー４と防犯灯とを一体に形成し、制御盤１１は別に形成しても良く、あるいは、これらの防犯ブザー４と防犯灯と制御盤１１とを別々に形成し、防犯灯ポール１にそれぞれ独立に取り付けても良い。また、それらの配置も図示したものに限定されない。
【００１４】
上記非常用押しボタン５は、四角い箱形をしたボタンケース１２の前面に設けられていて、このボタンケース１２が、上記防犯灯ポール１に制御盤１１よりも低い位置で固定され、このボタンケース１２と上記制御盤１１との間に保護パイプ１３が延設され、この保護パイプ１３内の配線を通じて上記非常用押しボタン５と制御盤１１内の制御装置６とが電気接続されている。上記非常用押しボタン５は、小さい子供でも押圧操作可能な高さにあることが望ましい。
また、上記各防犯通報機器は、全て防水構造を有し、雨水等の侵入によって誤動作したり腐蝕したりすることがないように構成されている。
【００１５】
上記制御装置６は、上記携帯端末器７及び非常用押しボタン５から発せられる信号の受信と、近接する１つ又は複数の防犯灯ポール１に対する信号の送受信とを行うと共に、それらの信号に基づいて上記赤色灯２及び黄色灯３と防犯ブザー４との動作制御を行うもので、図３に示すように構成されている。即ち、この制御装置６は、上記携帯端末器７から電波として発信される緊急信号の受信と他の防犯灯ポール１の制御装置６から電波として送信される伝達信号の受信とを行う受信部１６と、近接する他の防犯灯ポール１の制御装置６に向けて伝達信号を送信する送信部１７と、上記受信部１６から送られてくる受信信号と非常用押しボタン５から上記配線を通じて入力される操作信号とを受けてそれらの信号の出所（種類）を判別する信号判別部１８と、この信号判別部１８からの判別信号に基づいて上記送信部１７、赤色灯２、黄色灯３、防犯ブザー４を選択的に動作させる制御部１９とを有している。
【００１６】
従って、上記携帯端末器７から発信される緊急信号と、送信部１７から発信される伝達信号とは、それらの波長や波形あるいは振動数等を違えたり、その他の判別のための工夫を施しておくことにより、上記信号判別部１８でそれらを判別できるようにしておくことが望ましい。
【００１７】
上記信号判別部１８と制御部１９とは、回路基板に搭載されて上記制御盤１１の内部に収容されており、また、上記受信部１６と送信部１７は、送受信部１５として一つにまとめられ、防犯灯ポール１の上端部に近い位置に設置されている。しかし、この送受信部１５も、上記制御盤１１の内部かその近くの位置に設置することもできる。
【００１８】
そして、上記信号判別部１８に受信部１６から送られる受信信号が携帯端末器７からの緊急信号によるものである場合には、この信号判別部１８からそれに応じた判別信号が上記制御部１９に送られることにより、この制御部１９が、上記赤色灯２と黄色灯３とを同時に点灯させると共に、防犯ブザー４を鳴動させ、さらに、上記送信部１７を起動させて近接する他の防犯灯ポール１に向けて伝達信号を送信させる。
【００１９】
また、上記信号判別部１８に入力される信号が非常用押しボタン５からの操作信号である場合には、この信号判別部１８から送られる判別信号によって上記制御部１９が、上記赤色灯２を点灯させると共に防犯ブザー４を鳴動させ、さらに、上記送信部１７を起動させて近接する他の防犯灯ポール１に向けて伝達信号を送信させる。
【００２０】
一方、上記信号判別部１８に受信部１６から送られる受信信号が、他の防犯灯ポール１上の他の制御装置６から送信された伝達信号によるものである場合には、この信号判別部１８からの判別信号によって上記制御部１９が、上記黄色灯３を点灯させると共に防犯ブザー４を鳴動させ、さらに、上記送信部１７を起動させて近接する他の防犯灯ポール１に向けて伝達信号を送信させる。
【００２１】
上記携帯端末器７は、図４に示すように、ポケットや鞄あるいはバッグ等に入れて持ち運べる大きさの実質的に矩形の箱形をしたケーシング２０の内部に、電波による緊急信号を発信する発信装置２１と、この発信装置２１に連動して動作するブザー２２とを内蔵すると共に、上記発信装置２１を起動させるための２つの操作子２３，２４を備えたものである。これらの操作子は、押圧式の第１操作子２３と引き抜き式の第２操作子２４であって、上記発信装置２１に対して電気的に並列に接続されることにより、何れか一方の操作子２３又は２４を操作することによって上記発信装置２１とブザー２２とが作動するように構成されている。
【００２２】
上記第１操作子２３は、上記ケーシング２０の一部に形成された指当て用の凹部２０ａ内に配設されていて、先端の一部がこの凹部２０ａ内においてケーシング２０から突出しており、上記凹部２０ａに指先をあてがった状態でこの第１操作子２３を押し下げることにより、２つの接点２６ａ，２６ｂが閉じて上記発信装置２１が作動するようになっている。上記凹部２０ａは、人差し指あるいは中指が滑らかに当接できるような弧状をしたものである。
【００２３】
このように、ケーシング２０に滑らかな凹部２０ａを形成してそこに操作子２３を設ける方法は、該操作子２３の押圧操作を容易にするだけでなく、人間が危険や恐怖に遭遇したとき緊張により無意識に行う「手を握りしめる」という動作を、上記操作子２３の操作に有効に利用するものである。即ち、上記防犯エリアを通行するとき、上記携帯端末器７を手に持って指を凹部２０ａにあてがった状態にしておくことにより、緊急事態が発生したとき、意識的に上記操作子２３を押さなくても、緊張により無意識に行われる「手を握りしめる」という動作によってこの操作子２３が押されるため、緊急信号が自動的に発信されることになる。
【００２４】
上記第１操作子２３が操作されたあとその操作がすぐに解除されても、緊急信号が発信され続けるように、上記携帯端末器７を自己保持形として、操作状態が維持されるように構成することが望ましい。この場合、自己保持の解除は、発信装置２１に組み込んだタイマーによって行うか、ケーシング２０に設けた解除スイッチ２７を操作することによって行うことができる。
【００２５】
一方、上記第２操作子２４は、細長い棒状又は板状をしていて、通常はケーシング２０に形成された挿入孔２８内に差し込まれ、一部が外部に突出した状態にあり、このとき、２つの接点２９ａ，２９ｂを相互に離間させて回路を遮断している。従って上記発信装置２１は動作しない。そして、緊急時にこの第２操作子２４が引き抜かれると、上記２つの接点２９ａ，２９ｂが閉じて回路が導通するため、上記発信装置２１が作動して緊急信号が発信される。
上記第２操作子２４を再び挿入孔２８内に差し込むと、回路が開放して発信装置２１は停止するが、上述したように、タイマーや解除スイッチ２７等によって発信装置２１を停止させることもできる。
なお、上記携帯端末器７には、必ずしも上記２つの操作子２３及び２４を同時に備えている必要はなく、何れか一方の操作子２３又は２４だけを備えていても良い。
【００２６】
図５及び図６は、道路の両側に互い違いに設置された複数の防犯灯ポール１を含む防犯エリアＥを設定し、この防犯エリアＥ内の各防犯灯ポール１に上記各防犯通報機器を取り付けることにより防犯通報システムを設置した場合を概略的に示すものである。今、この防犯エリアＥ内において上記携帯端末器７が操作されることにより緊急信号が発信され、何れかの防犯灯ポール１に設けられた制御装置６の受信部１６がこの緊急信号を受信すると、その防犯灯ポール１上の赤色灯２と黄色灯３の両方が点灯すると共に防犯ブザー４が鳴動し、さらにこの制御装置６の送信部１７から、近接する他の防犯灯ポール１に向けて伝達信号が送信される。そして、この伝達信号を受信した防犯灯ポール１においては、黄色灯３が点灯すると共に防犯ブザー４が鳴動し、さらにこの防犯灯ポール１から、近接する他の防犯灯ポール１に向けて伝達信号が送信され、同様の動作が全ての防犯灯ポール１について行われる。
【００２７】
この場合、上記携帯端末器７及び送信部ｌ７から発信される信号は、何れも伝播距離の短い微弱な電波信号であって、近くに位置する１つ又は複数の防犯灯ポールで有効に受信できる程度の強さを有するものである。例えば、防犯灯ポール１，１間の距離が１００〜２００ｍ程度である場合、上記携帯端末器７からの電波信号は６０〜１１０ｍ程度の伝播距離があれば良く、これにより、隣接する２つの防犯灯ポール１，１間のどの位置から信号が発信されても、その信号は必ずどちらかの防犯灯ポールで受信されることになる。一方、上記制御装置６の送信部１７からの電波信号は、両隣や道路の向かい側に近接して位置する２〜４本位の防犯灯ポール１で受信される程度の強さがあれば良い。
なお、上記携帯端末器７及び送信部ｌ７で使用される電波は、電波法による許可を必要としないものであることが望ましい。
【００２８】
携帯端末器７から緊急信号を発信したままその所持者が上記防犯灯ポール１の位置から他の位置へと移動し、別の防犯灯ポール１の制御装置６でその緊急信号が受信されると、今度は、その別の防犯灯ポール１において赤色灯２と黄色灯３の両方が点灯し、最初の防犯灯ポール１においては、赤色灯２が消えて黄色灯３だけが点灯する状態となる。
【００２９】
かくして、犯罪に遭遇した場所にある防犯灯ポールを起点として、近接する他の防犯灯ポールに向けて伝達信号が順次送信されことにより、防犯エリア内にある全ての防犯灯ポールの黄色灯３が順次点灯すると共に、防犯ブザー４が鳴動することになるため、犯罪に遭遇した場所が人通りの少ない場所や民家から遠く離れた場所であっても、そのエリア全体に緊急事態の発生を確実に通報することができる。しかも、犯罪に遭遇した場所にある防犯灯ポールにおいては赤色灯２と黄色灯３とが点灯しているため、遠くからでもその場所を簡単に特定してすぐに駆けつけることができる。
【００３０】
一方、何れかの防犯灯ポール１の非常用押しボタン５が押された場合には、その防犯灯ポール１上の赤色灯２が点灯すると共に、防犯ブザー４が鳴り、同時に、制御装置６の送信部１７から近接する他の防犯灯ポール１に向けて順次伝達信号が送られ、各防犯灯ポール１の黄色灯３が順次点灯すると共に、防犯ブザー４が鳴る。
この場合、上記非常用押しボタン５が押されている時間は通常短いと予測されるため、その押圧操作が解除されたあとも、上記防犯灯や防犯ブザー４あるいは制御装置６の送信部１７が一定時間作動できるように、上記制御部１９にはタイマーが組み込まれ、このタイマーで設定された時間が経過するまで上記防犯灯や防犯ブザー４あるいは送信部１７が作動するように構成されている。
【００３１】
なお、上記携帯端末器７と非常用押しボタン５とが同時に操作された場合には、携帯端末器７からの信号が優先されるように設定しておくことが望ましい。
【００３２】
図５及び図６に示す例では、送信部１７及び受信部１６による信号の送受信が、その防犯灯ポール１を中心にして全方向について行われるようになっていて、隣接する防犯灯ポール１，１間の距離（例えば１００〜２００ｍ）か又はそれより若干長めの距離を半径とする範囲内の防犯灯ポールとの間で信号が送受信されている。しかし、信号の送受信に方向性を持たせることにより、例えば、携帯端末器７からの緊急信号又は非常用押しボタン５からの操作信号を直接受け取った防犯灯ポール１と同じ側にある防犯灯ポール列について、隣り合う防犯灯ポール１，１間で伝達信号の送受信を行うようにすることにより、その防犯灯ポール列についてのみ防犯灯と防犯ブザーとを作動させることも可能である。あるいは、街路の反対側の斜め前方に位置する最も距離の近い防犯灯ポール１，１間でジグザグ状に伝達信号を順次送受信することにより、街路の両側にある全ての防犯灯ポール１の防犯灯と防犯ブザーとを作動させるようにすることも可能である。
【００３３】
また、上記実施形態では、非常用押しボタン５が押された場合に赤色灯２だけを点灯させているが、上記携帯端末器７が操作された場合と同様に、赤色灯２と黄色灯３とを両方同時に点灯させても良い。あるいは、上記携帯端末器７が操作された場合も非常用押しボタン５が押された場合も、赤色灯２だけを点灯させるようにすることもできる。
【図面の簡単な説明】
【００３４】
【図１】本発明に係る防犯通報システムの一部の構成を示す正面図である。
【図２】防犯灯ポールの拡大図である。
【図３】防犯通報システムにおける制御装置の構成例を示すブロック図である。
【図４】携帯端末器の構成を示す正面図である。
【図５】防犯通報システムの全体構成の一例を概略的に示す平面図である。
【図６】防犯通報システムの全体構成の他例を概略的に示す平面図である。
【符号の説明】
【００３５】
１，１Ａ，１Ｂ，１Ｃ      防犯灯ポール
２      赤色灯
３      黄色灯
４      防犯ブザー
５      非常用押しボタン
６      制御装置
７      携帯端末器
２０      ケーシング
２０ａ      凹部
２１      発信装置
２３      操作子
【図１】
2008123218.tif 000003
【図２】
2008123218.tif 000004
【図３】
2008123218.tif 000005
【図４】
2008123218.tif 000006
【図５】
2008123218.tif 000007
【図６】
2008123218.tif 000008